(57)【特許請求の範囲】
【請求項１】
少なくとも一つの棚モジュールと一つのパーティションとを含む棚システムであって、
棚モジュールは、
一対の実質的に平行な、長手方向に延びる縁部と、一対の実質的に平行な端縁部とを画定し、前記棚モジュールの幅方向に間隔を空けられて並んだ、長手方向に延びるスラットの配列と、前記棚モジュールの長手方向に間隔を空けられて並んだ、これらのスラットに交差して幅方向に延びる、リブの配列とを含み、
前記スラットは、前記リブの上に出て位置しリブが作る高さよりも上方の高さを画定し、
前記スラットの隣り合った少なくとも一対が、その上縁部に、またはその近くに、スラットから生えた、対向して向き合ったパーティション保持連結手段であって、スラットの長さ方向に間隔を設けて配列された前記パーティション保持連結手段を有するものであり、
パーティションは、底面縁部を備える壁部分、および前記底面縁部またはその近傍の連結手段の列とを含み、連結手段は、間隔を設けてパーティションの長さ方向に配列されているものであって、隣り合うスラットから生えた一対の前記パーティション保持連結手段の配列と協働して脱着可能に固定することができ、固定されたパーティションは棚モジュールの長手方向に延びるものである、前記棚システム。
【請求項２】
使用に際しては、パーティションの各連結手段を、間隔を設けて配列されたパーティション保持連結手段の配列の間隔の部分に挿入し、そしてパーティションを脱着可能な固定が達成されるまで長手方向に動かすことによって、パーティションが棚モジュールに固定されるものである、請求項１に記載の棚システム。
【請求項３】
パーティション保持連結手段の配列が、スラットの上縁部またはその近傍のフランジ構成体を含み、各フランジ構成体は、いずれの隣接スラット上のフランジ構成体とも分離されている、請求項１または２に記載の棚システム。
【請求項４】
棚モジュールのすべてのスラットが、その長さに沿って長手方向に間隔を空けられたフランジ構成体の配列を有する、請求項３に記載の棚システム。
【請求項５】
棚モジュールの少なくとも１つの端縁部が、それに沿って延びる直立リップを有し、前記棚モジュールの前面縁部をそれによって形成する、請求項１に記載の棚システム。
【請求項６】
棚モジュールの後方縁部に、またはその近くに端部係合手段を含む、請求項１に記載の棚システム。
【請求項７】
棚モジュールが、その長手方向縁部に沿った、横方向係合手段を含み、この横方向係合手段によって、前記棚モジュールを別の棚モジュールの長手方向縁部に連結することを可能にする、請求項１に記載の棚システム。
【請求項８】
棚モジュールの一方の横方向縁部に雄横方向係合手段が組み込まれており、他方の横方向縁部に雌横方向係合手段が組み込まれている、請求項７に記載の棚システム。
【請求項９】
棚モジュールが、該棚モジュールを通って延びる弱化面によって、長手方向に少なくとも２つのセクションに分割されており、使用に際して、前記弱化面において前記セクションを分離することができる、請求項１に記載の棚システム。
【請求項１０】
棚モジュールが、３つの弱化面によって、長手方向に４つのセクションに分割されている、請求項９に記載の棚システム。
【請求項１１】
パーティションのそれぞれの連結手段が、壁部分の最下端縁部またはその近傍に位置する足部を含む、請求項４に記載の棚システム。
【請求項１２】
足部の間隔が、棚モジュールのスラットに沿ったフランジ構成体の間隔と一致する、請求項１１に記載の棚システム。
【請求項１３】
パーティションの各足部が、それを保持する一対のフランジ構成体と相互結合される、請求項１１に記載の棚システム。
【請求項１４】
パーティションの各足部が、その中に形成された一対の対向するスロットを有し、該スロットのそれぞれが、対応するフランジ構成体の１つのフランジを受け入れるように寸法決めされて適合されている、請求項１１に記載の棚システム。
【請求項１５】
パーティションが、該パーティションを通って延びる弱化ラインによって、長手方向に少なくとも２つのセクションに分割されており、使用に際して、弱化ラインにおいて前記セクションを破断分離することができる、請求項１に記載の棚システム。
【請求項１６】
パーティションが、４つの弱化ラインによって長手方向に５つのセクションに分割されている、請求項１５に記載の棚システム。
【請求項１７】
少なくとも二つの棚モジュールが長手方向縁部において結合されている、請求項７に記載の棚システム。
【請求項１８】
互いに横方向に離れて脱着可能に固定された、少なくとも２つの縦方向に延びるパーティションが、それらの間に、棚の上のパーティションの間に載置された商品のための移動経路を画定する、請求項１に記載の棚システム。
【発明の詳細な説明】
【技術分野】
【０００１】
本発明は一般的には棚システムまたは棚組立体、およびそのための棚モジュール、パーティションおよび表示ストリップのそれぞれに関する。
より具体的には、本発明は、小売り店陳列に使用される種類の重力送り式棚システムに関し、このような陳列においては、棚は、その前部よりも後部において高くなるように傾斜がつけられており、これによって棚の上の商品が、棚の前方縁部に向かって、またはそこまですべるようになっている。
【背景技術】
【０００２】
この種類の知られている棚システムは、様々な幅の商品を収容するように、選択された場所に設置することのできる（すなわち、配置可能な）、縦方向に延びる複数のパーティションを使用することが多い。このような配置可能なパーティションは、それらがもたらす安定性、より具体的にはそれらがもたらす横方向または側方への安定性の観点から、必要とされるものであることがわかっている。また、これらのパーティションは容易に取り外して再配置を可能として、知られているシステムと比較して、棚レイアウトの再配列をより容易にすることが望ましい。
この種類の知られている棚についての別の問題は、棚または複数の棚の前縁部が、下向きの小領域となり、このために商品や価格の情報をその上に配置するのに理想的ではないことである。
【０００３】
したがって、本開示の目的は、上記の問題点の１つまたは２つ以上を実質的に改善すること、または、少なくとも、上記の種類の知られている棚システムに対して有用な代替となる棚システムおよびそのための構成部品を提供することである。
本発明のその他の目的および利点は、説明と例示のために本発明の一態様を開示する添付の図面と合わせて、以下の記載から明白になるであろう。
【発明の概要】
【０００４】
本発明の一観点においては、前面縁部を有する棚モジュールと、この棚モジュールの前面縁部に実質的に直角な方向に延びるように、棚モジュールに固定されるように適合されたパーティションと、棚モジュールの前面縁部において、またはその近傍で棚モジュールに固定されるように適合された表示ストリップとの組合せを含む、棚組立体、または棚組立体用の部品キットが提案される。
さらに別の観点では、本発明は、棚システム用の棚モジュールを含めることができる。棚モジュールは、一対の実質的に平行な、長手方向に延びる縁部と、一対の実質的に平行な端縁部とを有する、ストリップである。１つのモジュールで独立した棚を形成するか、または複数の棚モジュールを用い、横並びに配置して、それらの連続する縁端に沿って連結することができる。
【０００５】
棚モジュールの少なくとも１つの端縁部は、棚モジュールの前面縁部をそれによって形成するように、端縁部に沿って延びる直立リップを有する。一形態においては、１つの選択肢において、モジュールの反対向きの両端部に、それに沿って延びる直立リップを備えて、それによってこれらの端部のいずれかが棚モジュールの前面縁部を形成するようにしてもよい。
棚モジュールは、モジュールの幅方向全体に間隔を空けて並べられた、長手方向に延びるスラットの配列と、これらのスラットに交差して延びる、モジュールの長さ方向に間隔を空けて並べられたリブの配列とを含む。一形態において、スラットは、リブの高さより上方の高さを画定するように、リブの上に出て位置している。
【０００６】
少なくとも一部のスラットは、その上端部、またはその近傍にフランジ構成体（flange formations）を備え、フランジ構成体のそれぞれは、任意の隣接するスラット上のフランジ構成体から分離されている。フランジ構成体を備えるスラットは、スラットの長さに沿って長手方向に間隔を空けられたフランジ構成体の配列を有する。
棚モジュールは、その端部に、またはそれの近くに端部係合手段を含み、この端部係合手段は、その棚モジュールを別の棚モジュールの端部に連結することを可能にする。一形態において、これらの端部係合手段は、棚モジュールの後方端部に、またはそれの近くにある。１つの選択肢において、棚モジュールの両端に、端部係合手段があってもよい。
【０００７】
棚モジュールは、その長手方向縁部に沿った、横方向係合手段をさらに含み、この横方向係合手段は、その棚モジュールを別の棚モジュールの長手方向縁部に連結することを可能にする。
さらに別の観点において、本発明には、棚システム用のパーティションを含めることができる。このパーティションは、底面縁部、および底面縁部またはその近傍に、連結手段を含み、この連結手段は、壁パネルを棚モジュールに固定するためのものである。
【０００８】
一形態において、パーティション用の連結手段は、壁部分の最下端縁部に、またはその近傍に位置する、足部分を含む。この足部分は、一対のスラットの間、より詳細には一対の隣接スラットの間に固定されるように適合されており、パーティションの足部がその対のフランジ構成体と相互結合している。
パーティションの足部分は、その中に形成された、一対の反対向きのスロットを有し、このスロットは、スラットのフランジを受け入れるように寸法決めされて適合されている。パーティションは、その長手方向に沿って間隔を空けられた、これらの足部分の配列を備えてもよい。これらの足部分の間隔は、好ましくは、棚モジュールのスラットの長さに沿って、フランジ構成体の間隔と一致している。
【０００９】
ここで、パーティションを棚モジュールに連結するための上記の配設は、逆にしてもよいことがわかるであろう。すなわち、パーティションがフランジ構成体を有し、棚モジュールのスラットがこれらのフランジ構成体を受け入れるためのスロットを有してもよい。
さらに別の観点において、本発明には、棚システム用の表示ストリップを含めることができる。この表示ストリップは、棚モジュールの直立リップに固定されるように適合された後部部分と、それらの間に角度が形成するように基部部分と公差する翼部とを含む。使用に際して、翼部には、商品および価格の情報などの標示が付けられる。
【００１０】
一形態において、表示ストリップの部分によって形成される角度は、表示ストリップがそれに固定される、棚モジュールの傾斜の角度以上である。一形態において、その角度は鋭角である。
一形態において、棚モジュール、パーティションおよび表示ストリップのそれぞれは、必ずしも同一の型ではないが、単一のプラスチック成型工程で、型内でプラスチック材料で形成される。
【００１１】
さらなる観点において、本発明には、一対の実質的に平行な、長手方向に延びる縁部と一対の実質的に平行な端縁部、モジュールの幅方向全体に間隔を空けて並べられた、長手方向に延びるスラットの配列、および、これらのスラットに交差して延びる、モジュールの長さ方向に沿って間隔を空けて並んだリブの配列を含み、これらのスラットの少なくとも一対が、その上縁部に、またはそれの近くにパーティション保持連結手段を有する、棚システム用の棚モジュールを含めることができる。
【００１２】
さらに別の観点において、本発明には、その長さを延長する目的で、上記の棚モジュールに連結されるように適合された、別個の構造的に異なる棚モジュールをさらに含めることができる。さらに別の観点において、本発明には、互いに連結された、上記の構造的に異なる棚モジュールの２つ以上を、組み合わせて含めることができる。
【００１３】
さらに別の観点において、本発明には、底面縁部、および底面縁部またはその近傍に連結手段を含み、この連結手段が、前段落に記載したように、壁パネルを棚モジュールに固定するためのものである、棚システム用のパーティションを含めることができる。
さらに別の観点において、本発明には、上記のような棚モジュール、および上記のような少なくとも２つのパーティションを組み合わせて含めて、このパーティションを、互いに横断方向に分離されるように棚モジュールに固定して、その間に、棚の上でパーティションの間に載置される商品のための移動経路を画定することができる
【００１４】
一形態において、この組合せは、上記のような表示ストリップを含む。
さらに別の観点において、本発明には、上記のような棚モジュール、および上記のような表示ストリップを組み合わせて含めることができる。一形態において、この組合せは、少なくとも２つの上記のようなパーティションを含み、このパーティションは、互いに横断方向に分離されて、その間に、棚の上でパーティションの間に載置される商品のための移動経路を画定するように、棚モジュールに固定される。
【００１５】
この点において、本発明の少なくとも１つの態様を詳細に説明する前に、本発明は、その応用において、以下の説明に記載されるか、または図面に示される構造の詳細および構成要素の配置に限定されるものではないことを理解されたい。本発明は、記載されたものに加えた態様の能力があり、様々な方法で実現し、実行することができる。また、本明細書に加えて要約書において用いる語法および用語は、説明のためのものであり、限定とみなすべきではないことを理解されたい。
組み入れられた、本明細書の一部を構成する添付の図面は、本発明の特定の態様を示しており、明細書と共に、本発明の原理を説明する役割を果たす。
【００１６】
本開示がその基礎とする概念は、本発明のいくつかの目的を実施するための、その他の構造、方法およびシステムを設計する基礎として容易に利用できることを、当業者は理解するであろう。したがって、特許請求の範囲は、本発明の趣旨と範囲を逸脱しない限りにおいて等価な構造も含むものとみなすべきであることを認識することが重要である。
本発明のより詳細な理解のために、次に、本明細書においては図面を補助として記載される、例示的な態様について説明する。
【図面の簡単な説明】
【００１７】
【図１】図１は、例示的な棚モジュールの斜視図である。
【図２】図２、は図１における棚モジュールの端部の詳細図である。
【図３】図３は、図１および２に示された棚モジュールを使用する棚システム用の、例示的なパーティションの斜視図である。
【図４】図４は、図３におけるパーティションの端部の詳細図である。
【図５】図５は、図１および２における棚モジュールを横切る部分断面図であって、そこに固定された図３および４におけるパーティションを示す図である。
【００１８】
【図６】図１および２に示された棚モジュールを使用する棚システム用の例示的な表示ストリップの斜視図である。
【図７】図１および２における棚モジュールに沿って見た部分断面図であって、そこに固定された図３および４のパーティションと、図６の表示ストリップとを示す図である。
【図８】図１および２における棚モジュールと、棚連結モジュールとの連結端部部分を示す詳細図である。
【図９】棚組立体またはその他の部品キットを構成することのできる、複数の部品の斜視図である。
【図１０】組み立てられた棚組立体の斜視図である。
【００１９】
詳細な説明
以下の説明においては、図面のいくつかの図を通して、同一の参照記号は、同一または対応する部品を表わす。
図１を参照すると、例示的な棚システム用の棚モジュール１が示されている。棚モジュール１は、一対の実質的に平行な、長手方向に延びる縁部２と、一対の実質的に平行な端縁部４とを有する、成型プラスチックストリップである。
【００２０】
棚モジュールの一方の端縁部４には、棚モジュール１の前面縁部がそれによって形成されるように、端縁部に沿って延びる直立リップ６が備えられている。
棚モジュール１は、棚モジュール１の幅を横断して間隔を空けられた、長手方向に延びるスラット８の配列と、これらのスラット８の間に延びる、棚モジュール１の長さに沿って、間隔を空けられたリブ１０の配列とで構成され、スラット８がリブ１０の上に位置するようにされている。
【００２１】
各スラット８は、その自由な最上端部またはその近傍にフランジ構成体１２を備える。フランジ構成体１２は一対のフランジを含み、ここで１つのフランジがスラット８のそれぞれの側から延びている。これらのフランジ構成体１２が複数、スラット８の長さに沿って間隔を空けて配置されている。フランジ構成体１２のそれぞれは、いずれの隣接するスラット８上のフランジ構成体１２からも分離されている（すなわち、間隔を空けられている）。
次に図３〜７を参照すると、例示的な棚システム用の成型プラスチックのパーティション５０が示されている。パーティション５０は、壁部分５２と、壁部分５２の長さに沿って、間隔を空けられた足部分５４の一体型配列を含む。これらの足部分５４の間隔は、棚モジュール１のスラット８に沿った、フランジ構成体１２の間隔と一致している。これらの足部分５４は、それらの上に延びる壁部分５２よりも厚みがある。
【００２２】
壁部分５２の両端部は、そこから横断方向に延びる端面壁５６を備えており、どちらかの端部が、パーティション５０の前面縁部の役割をすることができる。使用に際しては、一対の間隔を空けられた壁パーティション５０の間に画定されたシュート（chute）内に配置された、在庫商品が、間隔を空けられた壁パーティション５０の端面壁５６に当たって止まるまで、シュートをすべり落ちることになる。
前記パーティション５０または各パーティション５０の各足部分５４は、その中に構成された、一対の対向するスロットを備えており、これらのスロットは、スラット８のフランジ構成体１２をその中に受け入れるように寸法決めされて適合されている。
【００２３】
使用に際しては、足部分５４の配列を、互いに整列されたフランジ構成体１２の配列の後方、かつ下方の位置に配置して、反対向きのフランジ構成体１２が、足部分５４内の対向するスロット５８内にスナップ嵌めされるまで、隣接する一対の棚メンバ１のスラット８のフランジ構成体１２の互いに整列された配列の間の位置に、パーティションを前方にスライドさせることによって、パーティション５０を確実に、しかし取外し可能に棚モジュール１に連結することができる。
【００２４】
パーティション５０を棚モジュール１に連結するためのこのシステムの利点は、棚モジュール１に対するパーティション５０の配置を迅速かつ容易に変更することが可能であり、このことは、異なる寸法の商品を収容するために一対のパーティション５０の間の間隔（すなわち、シュート幅）を変更しなくてはならない場合に有用である。また、この設計では、足部分５４の一部を、フランジ構成体１２の異なる一対、または隣接する一対内に配置することは事実上、不可能であり、それによってパーティション５０の意図しない位置ずれを防止することができる。
この連結のさらなる利点は、一対の隣接する棚部材１のスラット８のフランジ構成体１２の間に確実に保持されることによって、パーティション５０に与えられる高度な横方向または側方への安定性である。その結果、壁パーティション５０は、比較的重い商品および／または高い重心を有する商品を崩れることなく支持することができる。
【００２５】
壁パーティション５０は、破断分離式（breakaway）後部セクション６０、および（パーティション５０の最も長いセクションであることが特徴である）前部セクション６９と後部セクション６０とを連結する、相互連結された一連の破断分離式中間セクション６２、６４、６６および６８をさらに含む。この破断分離機能は、通常、その延長方向に直角にパーティション５０を通って延びる、ＹＹの位置に示す弱化ライン（a line of weakness）を設けることによって実現される。これらの破断分離式セクション６０〜６８の内の１つまたは２つ以上を破断分離させると、パーティション５０の長さを適合させるように調節することができる。複数対の隣接する弱化ラインが設けられており、これによって、パーティション５０のいずれかの端部を棚モジュール１の前部に配置することができる
【００２６】
端面壁５６は、２本の弱化ライン５７を有し、これによって、必要な場合には、片側の端面壁５６を除去することが可能となる。これは、側面壁、または棚モジュール１がその中で使用されるキャビネットのその他の構造特徴の近傍、またはそれに当接させて、パーティション５０を配置するときに必要となることがある。
次に図６および７を参照すると、例示的な棚システム用の成型プラスチック表示ストリップ７０が示されている。表示ストリップ７０は、棚モジュール１の直立リップ６に確実に、しかし取外し可能に固定されるように適合された後部部分７２、および基部部分７２と交叉する翼部７４を含み、これらがその間で鋭角を形成するようにされている。使用に際しては、翼部７４には、商品や価格の情報などの標示（indicia）が付けられる。
【００２７】
表示ストリップ７０の後部部分７２は、一対の脚部７７の間にチャネル７６を画定する。このチャネル７６は、棚モジュール１の直立リップ６上に確実な嵌め合いで配置されるように寸法決めされている。表示ストリップ７０の上方縁部７５は、パーティション５０の壁部５６の端部上の突起７９の下方に位置する。これによって、表示ストリップ７０が偶発的に外れるのが防止される。この場合に、表示ストリップ７０は、透明なプラスチックで成型されており、翼部７４は、宣伝および／または価格の情報を記した印刷物を表示のためにその中に挿入することのできる、スロット７８を画定している。
この例示的な表示ストリップ７０の重要な利点は、翼部７４の前部表面が、商品および価格の情報を消費者に見えるようにするのに好適な角度で提示されることである。
【００２８】
さらなる利点は、商品および価格の情報を、スロット７８内部に位置する印刷ストリップを別のもの置き換えることによって、容易に変更できることである。代替的に、商品および価格の情報がステッカー上に印刷されており、これがさらに表示ストリップ７０の翼部７４に添付されている場合には、表示ストリップ７０全体を、迅速かつ容易に動かして、適当に交換することができ、ステッカーを標示ストリップ７０から取り外す必要をなくすことができる。このことも、価格が変化する場合には有利である。
【００２９】
使用に際しては、複数の棚モジュール１を用いて、横に並べて、（それらの横方向係合手段１６を用いて）連続するその縁部２に沿って連結して、陳列棚を形成してもよい（棚モジュール１を連結する機構については、以下により詳細に考察する）。次いで、複数のパーティション５０を、上記の方法で棚に連結して、棚に沿って長手方向に延びる、間隔を空けられたパーティション５０の配列とすることができる。これらのパーティション５０は、それらの間に、在庫商品をすぐ販売できるように配置することのできる、シュートを画定する。
【００３０】
この陳列棚は、支持表面（すなわち、カウンタ、テーブル天板または冷蔵トレイ）の全深さが無駄なスペースなしに棚に占拠されるのに、十分な深さ（すなわち、その前部からその後部までの長さ）がなくてはならない。陳列棚が、全深さを占拠しない場合には、陳列棚の前方の支持表面に載置された物体が、陳列棚上に陳列しようとする商品を隠すことなり、一方で、陳列棚の背後の支持表面上に載置された物体が、少なくとも部分的に顧客の視野から隠されて、有望な顧客に対して容易にアクセスすることができなくなる。
【００３１】
図５および７を参照すると、パーティション５０の側面壁には、パーティション５０の両側に３つの隆起峰部（raised ridge）８０が設けられている。各パーティション５０間の棚モジュール１上に位置する商品は、峰部８０だけに当接する。この結果として、商品収納容器との接触が減少し、これによって、パーティション５０と商品との間のすべり摩擦が減少する。
再び棚モジュール１を参照すると、棚モジュール１は、前部セクション１００（これは、棚モジュール１の最も長いセクションであることが特徴である）、離脱式後部セクション１０２、および前部セクション１００と後部セクション１０２とを連結する、相互連結された一連の離脱式中間セクション１０４、１０６、および１０８をさらに含む。
【００３２】
後部セクション１０２は、直前セクション１０８から分離させることを可能にする、従来型破断分離機能を有する。この破断分離機能は、通常、モジュール１の主要長手寸法に直角に棚モジュールを通って延びる、弱化面を設けることによって実現される。この破断分離式後部機能は、本質的に従来式であり、したがって本明細書においてはさらに詳細には説明しない。前部セクション１００と後部セクション１０２とを連結する、相互連結された一連の中間セクション１０４、１０６および１０８はまた、破断分離機能を含み、これによって、中間セクションのそれぞれを、必要に応じて、1つずつ順番に、または中間セクションの１つまたは２つ以上の群として、破断分離されることが可能になる。
【００３３】
破断分離式後部セクション１０２は、その後方端部に雌連結部の形態で端部係合手段１５を含み、この係合手段１５は、さらなる棚連結モジュール２００を、それに取り付けられた雄連結部２０２を介して連結することを可能にする。
図８および９を参照すると、棚連結モジュール２００が示されている。この棚連結モジュールは、棚モジュール１に対して別個で異なる部品である。棚連結モジュール２００は、直立リップ６の代わりに、棚連結モジュールが、棚モジュール１の雌端部連結部１５との連結に適合された、雄端部連結部２０２を備えること（および棚モジュール１よりも短いこと）を除いて、棚モジュール１とほとんど同一の構造のものである。
【００３４】
再び図９を参照すると、棚端部モジュール３００が示されている。この棚端部モジュール３００は、棚モジュール１および棚連結モジュール２００の両方に対して別個で異なる部品である。棚端部モジュール３００は、その一端における雌端部連結部１５の代わりに、棚端部モジュール３００は、棚連結モジュール２００と同じ雄連結部分３０２を備えること、（および棚モジュール１よりも短いが、棚連結モジュール２００よりも長いこと）を除いて、棚モジュール１とほとんど同一の構造のものである。
【００３５】
この例示的態様においては、雄端部連結部２０２および３０２は、反対向きの鉤付き端部（barbed ends）２０６を備える、一対の上向きの突起（prong）２０４を含み、この鉤付き端部は、下から、および棚モジュール１の非断絶端部または、その中間セクション１０４、１０６または１０８の断絶端部のいずれかの一対のリブの間から挿入することを意図している。棚モジュール１のリブ１０の選択された対が、反対向きの鉤付き端部２０６をその中に捕捉するように寸法決めされた切込み部をその中に形成することによって、この雄端部連結部分２０２または３０２をその間に受容するように特別に適合されている。これらの特別に適合されたリブ１０の間に延びるモジュールの後方縁部４も、雄端部連結部２０２および３０２がアクセスできるようにするために、凹まされている。
【００３６】
棚モジュール１の破断分離式セクション（すなわち、セクション１０２〜１０８のいずれか１つ）が棚モジュール１から除かれるときに、中間セクション１０４、１０６または１０８の破断端部が形成される。破断分離式セクションのいずれかが取り外されると、雄端部連結部２０２または３０２を受け入れるように適合されている、雌端部連結部１５へのアクセスが可能になる。
このようにして、所望の長さの棚ストリップを、棚モジュール１から形成するか、または棚モジュール１、複数の棚連結モジュール２００、および（任意選択の）棚端部モジュール３００の組合せから形成することができる。
【００３７】
必要な棚ストリップが棚モジュール１よりも短い場合には、必要でない棚モジュール１の部分を単に折り外すだけで十分である場合もある。必要な棚ストリップが棚モジュールよりも長い場合には、１つまたは２つ以上の棚結合モジュール２００を、第１の棚モジュール１の長さに追加することが可能であり、望ましい場合には、棚ストリップを棚端部モジュール３００で仕上げることができる。
図１０を参照すると、この場合には、２つ以上の棚ストリップが棚表示を備えており、これらは、上述の技法を用いて、所望の長さに組み立てて、次いで、その連続する縁部２に沿って連結して、表示棚４００を形成しなくてはならない。この連続する連結を可能にするために、棚モジュール１は、その長手方向縁部２に沿って、間隔を空けられた横方向係合手段１６の配列をさらに含み、この横方向係合手段１６によって棚モジュール１を、別の棚モジュール１の長手方向縁部２に連結することが可能になる。
【００３８】
同様に、棚連結モジュール２００および棚端部モジュール３００は、それぞれ、これらの横方向係合手段１６の少なくとも１つを含む。
この例示的態様においては、これらの横方向係合手段１６は、一対のスラット８の間に延びるブリッジ要素１６ａと、このブリッジ部材から延びる雄連結部分１６ｂとを含む。
【００３９】
これらの雄横方向連結部分１６ｂは、（雄端部連結部分２０２とまったく同様の）反対向きの鉤付き端部を備える、一対の上向き突起を含み、この突起は、下方から、および棚モジュール１の長手方向縁部（または側部）２の一対のスラット８の間に挿入することを意図したものである。棚モジュール１の選択されたスラット８の対は、マッチング距離だけ間隔を空けること（すなわち、反対向きの鉤付き端部を備える、上向きの突起の間隔に一致させること）によって、この雄横方向連結部分１６ｂを、その間に受け入れるように特別に適合されている。
【００４０】
上記の種類の横方向連結手段１６の利点は、棚ストリップ１および／またはモジュール２００および３００の間に生成される剛性のある確実な連結である。
図９を参照すると、棚モジュール１、棚連結モジュール２００および棚端部モジュール３００を、それらのすべてが１、２００および３００よりも、かなり幅が広い１ａ、２００ａおよび３００ａにおけるように、様々な幅で製作できることがわかる。図９に示すように、棚モジュール構成要素１、１ａ、２００、２００ａ、３００および３００ａは、どのような店頭アプリケーションに対しても完全に寸法が合って適合する、棚組立体を構築することを可能にしなくてはならないと考えられる。
１つまたは２つ以上のパーティション５０および表示ストリップ７０を陳列棚４００に固定する場合に、機能的で美的に好ましい棚組立体が作成される。
【００４１】
本明細書において使用される場合には、用語「含む（comprise）」およびその派生語（例えば、comprises、 comprising）は、それが参照する特徴を包含するものと解釈すべきであり、特に明記または暗示しない限り、追加の特徴の存在を除外することを意味するものではないことを理解されたい。
本明細書における従来技術の参照は、そのような従来技術が共通の一般知識の一部を形成することの、なんらかの形態で示唆することの認知として解釈されるものではなく、またされるべきではない。
【００４２】
本開示を、最も実用的で好ましい態様であると考えられる態様において、本明細書で示して説明したが、本発明の範囲内で逸脱をすることは可能であり、本発明は、本明細書に記載した詳細に限定されるものではなく、任意かつすべての等価な考案および装置を含むように、添付の特許請求の範囲の全範囲が授与されるものであると認識されたい。
【図１】
0005798488.tif 000002
【図２】
0005798488.tif 000003
【図３】
0005798488.tif 000004
【図４】
0005798488.tif 000005
【図５】
0005798488.tif 000006
【図６】
0005798488.tif 000007
【図７】
0005798488.tif 000008
【図８】
0005798488.tif 000009
【図９】
0005798488.tif 000010
【図１０】
0005798488.tif 000011